(57)【要約】【課題】手持ち式電気器具、特にヘヤケア電気器具、及びそのような電気器具からの流体出口を提供する。【解決手段】開示するのは、外側壁を有する本体と、外側壁内で少なくとも部分的に本体に沿って延びるダクトと、主流体流れを受け入れるためにダクトの周りに延びる内部通路と、本体から主流体流れを放出するための主流体出口とを含む手持ち式電気器具であり、主流体出口は、ダクトと本体の内側壁とによって形成される。内側壁は、外側壁からダクトに向けて延びることができ、かつダクトの周りに半径方向に延びることができる。内側壁は、外側壁から主流体出口に向けて延びることができる。内側壁とダクトの間に少なくとも１つのスペーサを設けることができる。少なくとも１つのスペーサは、支持リブとすることができる。ダクトは、内側壁に固定された第１部と第１部に接続する第２部とである２つの部分から形成することができる。【選択図】図６
2015066446.tif 000002
【特許請求の範囲】
【請求項１】
ヘヤケア電気器具であって、
外側壁を有する本体と、
前記外側壁内で少なくとも部分的に前記本体に沿って延びるダクトと、
主流体流れを受け入れるために前記ダクトの周りに延びる内部通路と、
前記本体から前記主流体流れを放出するための主流体出口と、
を含み、
前記主流体出口は、前記ダクトと前記本体の内側壁とによって形成され、
少なくとも１つのスペーサが、前記内側壁と前記ダクトの間に設けられる、
ことを特徴とする電気器具。
【請求項２】
前記内側壁は、前記外側壁から前記ダクトに向けて延びることを特徴とする請求項１に記載の電気器具。
【請求項３】
前記内側壁は、前記ダクトの周りに半径方向に延びることを特徴とする請求項１又は請求項２に記載の電気器具。
【請求項４】
前記内側壁は、前記外側壁から前記主流体出口に向けて延びることを特徴とする請求項２又は請求項３に記載の電気器具。
【請求項５】
前記少なくとも１つのスペーサは、互いに半径方向に離間した複数のスペーサを含むことを特徴とする請求項１から請求項４のいずれか１項に記載の電気器具。
【請求項６】
前記少なくとも１つのスペーサは、支持リブであることを特徴とする請求項１から請求項５のいずれか１項に記載の電気器具。
【請求項７】
前記ダクトは、前記内側壁に固定された第１部と該第１部に接続する第２部とである２つの部分から形成されることを特徴とする請求項１から請求項６のいずれか１項に記載の電気器具。
【請求項８】
ヘヤケア電気器具であって、
外側壁を有する本体と、
前記外側壁内で少なくとも部分的に前記本体に沿って延びるダクトと、
主流体流れを受け入れるために前記ダクトの周りに延びる内部通路と、
前記本体から前記主流体流れを放出するための主流体出口と、
を含み、
前記主流体出口は、前記ダクトと前記本体の内側壁とによって形成され、
前記ダクトは、前記内側壁に固定された第１部と該第１部に接続する第２部とである２つの部分から形成される、
ことを特徴とする電気器具。
【請求項９】
前記ダクトの前記第１部は、少なくとも１つの支持リブによって前記内側壁に固定されることを特徴とする請求項７又は請求項８に記載の電気器具。
【請求項１０】
前記ダクトの前記第１部、前記内側壁、及び前記少なくとも１つの支持リブは、単一ユニットとして成形されることを特徴とする請求項９に記載の電気器具。
【請求項１１】
前記ダクトの前記第１部は、該ダクトの前記第２部に１つの向きに接続することを特徴とする請求項７から請求項１０のいずれか１項に記載の電気器具。
【請求項１２】
前記ダクトの前記第１部と該ダクトの前記第２部の間の前記接続は、重ね継ぎを含むことを特徴とする請求項１１に記載の電気器具。
【請求項１３】
前記ダクトの前記第１及び第２部の一方が、凹部を含み、該第１及び第２部の他方が、前記接続を与えるために該凹部と協働するようになった突起を含むことを特徴とする請求項１１又は請求項１２に記載の電気器具。
【請求項１４】
前記内側壁は、密封部分及び流れ誘導部分を含むことを特徴とする請求項１から請求項１３のいずれか１項に記載の電気器具。
【請求項１５】
前記密封部分は、前記外側壁と前記内側壁の間を密封することを特徴とする請求項１４に記載の電気器具。
【請求項１６】
前記密封部分は、前記内側壁の端部から離間していることを特徴とする請求項１４又は請求項１５に記載の電気器具。
【請求項１７】
前記内側壁、密封部分、及び前記外側壁の間に形成される領域が、冷却経路であることを特徴とする請求項１４から請求項１６のいずれか１項に記載の電気器具。
【請求項１８】
前記流れ誘導部分は、前記ダクトと一緒に前記内部通路の一部を形成する前記内側壁の面を含むことを特徴とする請求項１４から請求項１７のいずれか１項に記載の電気器具。
【請求項１９】
前記内側壁の前記面は、滑らかであることを特徴とする請求項１８に記載の電気器具。
【請求項２０】
前記ダクトの周りに延びる加熱器を含むことを特徴とする請求項１から請求項１９のいずれか１項に記載の電気器具。
【請求項２１】
前記加熱器は、環状であることを特徴とする請求項２０に記載の電気器具。
【請求項２２】
前記加熱器は、スリーブ内に収容されることを特徴とする請求項２０又は請求項２１に記載の電気器具。
【請求項２３】
前記スリーブは、一端で前記加熱器を超えて縦方向に延びることを特徴とする請求項２２に記載の電気器具。
【請求項２４】
前記スリーブ延長部は、前記加熱器を前記本体内に縦方向に位置付けるために前記内側壁と協働するようになっていることを特徴とする請求項２３に記載の電気器具。
【請求項２５】
前記スリーブ延長部は、前記加熱器を前記本体内に半径方向に位置付けるために前記内側壁と協働するようになっていることを特徴とする請求項２３又は請求項２４に記載の電気器具。
【請求項２６】
前記内側壁及び前記スリーブ延長部の一方が、凹部を含み、該内側壁及び該スリーブ延長部の他方が、該凹部と協働するようになった突起を含むことを特徴とする請求項２４又は請求項２５に記載の電気器具。
【請求項２７】
前記主流体出口は、前記本体の下流端にあることを特徴とする請求項１から請求項２６のいずれか１項に記載の電気器具。
【請求項２８】
前記内側壁は、下流端及び上流端を有し、該下流端は、少なくとも部分的に前記主流体出口を形成することを特徴とする請求項２７に記載の電気器具。
【請求項２９】
前記内側壁の前記上流端は、前記外側壁に向けて延びることを特徴とする請求項２８に記載の電気器具。
【請求項３０】
前記内側壁は、前記外側壁まで延びる密封部分を含むことを特徴とする請求項２８又は請求項２９に記載の電気器具。
【請求項３１】
前記密封部分は、前記内側壁の前記上流端及び下流端の間にあることを特徴とする請求項３０に記載の電気器具。
【請求項３２】
手持ち式電気器具であって、
外側壁を有する本体と、
前記外側壁内で少なくとも部分的に前記本体に沿って延びるダクトと、
主流体流れを受け入れるために前記ダクトの周りに延びる内部通路と、
前記本体から前記主流体流れを放出するための主流体出口と、
を含み、
前記主流体出口は、前記ダクトと前記本体の内側壁とによって形成され、
少なくとも１つのスペーサが、前記内側壁と前記ダクトの間に設けられる、
ことを特徴とする電気器具。
【請求項３３】
手持ち式電気器具であって、
外側壁を有する本体と、
前記外側壁内で少なくとも部分的に前記本体に沿って延びるダクトと、
主流体流れを受け入れるために前記ダクトの周りに延びる内部通路と、
前記本体から前記主流体流れを放出するための主流体出口と、
を含み、
前記主流体出口は、前記ダクトと前記本体の内側壁とによって形成され、
前記ダクトは、前記内側壁に固定された第１部と該第１部に接続する第２部とである２つの部分から形成される、
ことを特徴とする電気器具。
【請求項３４】
ヘヤードライヤであることを特徴とする請求項１から請求項３１のいずれか１項に記載の電気器具。
【発明の詳細な説明】
【技術分野】
【０００１】
本発明は、手持ち式電気器具、特に、ヘヤケア電気器具、及びそのような電気器具からの流体出口に関する。
【背景技術】
【０００２】
送風機及び特に温風送風機は、塗料又は毛髪のような物質を乾燥させて表層を清掃し又ははぎ取るような様々な用途に対して使用される。これに加えて、温風整髪ブラシのような温風送風機は、髪を濡れた又は乾いた状態から整髪するのに使用される。
【０００３】
一般的に、流体を本体内へ引き込むモーター及びファンが与えられ、流体は、本体から出る前に加熱することができる。モーターは、ほこり又は毛髪のような異物によって損傷し易いので、従来、送風機の流体取入端にフィルタが設けられる。従来、そのような電気器具には、電気器具に取り付けてそこから取り外すことができ、かつ電気器具から出る流体流れの形状及び速度を変更するノズルが備えられる。そのようなノズルは、その時点のユーザの要求に応じて電気器具の流出流れを集束させるか又は流出流れを拡散させるのに使用することができる。
【発明の概要】
【課題を解決するための手段】
【０００４】
第１の態様により、本発明は、外側壁を有する本体と、外側壁内で少なくとも部分的に本体に沿って延びるダクトと、主流体流れを受け入れるためにダクトの周りに延びる内部通路と、本体から主流体流れを放出するための主流体出口とを含む手持ち式電気器具を提供し、主流体出口は、ダクトと本体の内側壁とによって形成される。
【０００５】
すなわち、内部通路を通って流れる流体は、電気器具の内部壁を用いて主流体出口に向けて誘導される。これは、外側壁の外観が、内部通路の形状及び大きさの変更に影響されず、従って、電気器具の外部特徴部をきれいで単純にすることができ、かつ電気器具の内部作動がユーザから隠されたままになることを意味する。
【０００６】
好ましくは、内側壁は、外側壁からダクトに向けて延びる。すなわち、内側壁は、流体流れをダクトに向けて収束させる。
【０００７】
内側壁は、ダクトの周りに放射状に延びることが好ましい。
【０００８】
好ましくは、内側壁は、外側壁から流体出口に向けて延びる。
【０００９】
内側壁とダクトの間に少なくとも１つのスペーサを設けることが好ましい。スペーサは、内側壁とダクトの間に支持体を提供し、かつダクトに対する内側壁の相対場所を保つ。
【００１０】
好ましくは、少なくとも１つのスペーサは、互いに放射状に離間した複数のスペーサを含む。少なくとも１つのスペーサは、支持リブであることが好ましい。
【００１１】
好ましくは、ダクトは、内側壁に固定された第１の部分及び第１の部分に接続する第２の部分である２つの部分から形成される。ダクトの第１の部分は、少なくとも１つの支持リブによって内側壁に固定されることが好ましい。好ましくは、ダクトの第１の部分、内側壁、及び少なくとも１つの支持リブは、単一ユニットとして成形される。この単一ユニットは、電気器具のための空気出口であり、それを単一ユニットとして成形することは、空気出口の各特徴部間の許容誤差が、単一空気出口及び空気出口の複数の複製品の両方に対して固定されることを意味する。すなわち、電気器具の信頼性が改善する。
【００１２】
同じく開示するのは、外側壁を有する本体と、外側壁内で少なくとも部分的に本体に沿って延びるダクトと、主流体流れを受け入れるためにダクトの周りに延びる内部通路と、本体から主流体流れを放出するための主流体出口とを含むヘヤケア電気器具であり、主流体出口は、ダクトと本体の内側壁とによって形成され、ダクトは、内側壁に固定された第１の部分及び第１の部分に接続する第２の部分である２つの部分から形成される。
【００１３】
ダクトの第１の部分は、ダクトの第２の部分に１つの向きで接続することが好ましい。これは、特に、ダクトの第１の部分、すなわち、支持リブと、内側壁とが単一ユニット（空気出口）として成形される時に電気器具の構成に有用であり、その理由は、ダクト及び従って内側壁が１つの固定向きを有するからである。
【００１４】
好ましくは、ダクトの第１の部分とダクトの第２の部分の間の接続部は重ね継ぎを含む。ダクトの第１の部分及び第２の部分の一方は凹部を含み、第１の部分及び第２の部分の他方は、少なくとも２つの凹部と協働するようになった突起を含み、接続部を提供することが好ましい。
【００１５】
３つの凹部及び突起が設けられることが好ましい。好ましくは、３つの凹部及び突起は、不均一に角度的に離間する。これに代えて又はこれに加えて、凹部及び突起は、異なる構成のものである。異なる構成は、凹部及び突起対の異なる大きさ及び／又は形状を含む。これは、ここでもまた、接続部のそれぞれの対を接続する方法が１つだけであることを保証する。
【００１６】
内側壁は、密封部分及び流れ誘導部分を含むことが好ましい。密封部分は、主流れの漏れを防止し、流れ誘導部分は、主流体流れを主流体出口に向けて誘導する。
【００１７】
好ましくは、密封部分は、外側壁と内側壁の間を密封する。密封部分は、内側壁の周りに延びる可撓性ガスケットであることが好ましい。
【００１８】
密封部分は、内側壁の端部から離間することが好ましい。好ましくは、内側壁、密封部分、及び外側壁の間に形成される領域は、冷却経路である。
【００１９】
流れ誘導部分は、ダクトと一緒に内部通路の一部を形成する内側壁の面を含むことが好ましい。好ましくは、内側壁の面は滑らかである。これは、主流れを内部通路の断面積が縮小する主流れ出口に向けて誘導する時に生じる乱流を最小にする。
【００２０】
好ましい実施形態において、電気器具は、ダクトの周りに延びる加熱器を含む。好ましくは、加熱器は環状である。これは、主流体流路を通って流れる主流体のより均等な加熱を与える。
【００２１】
加熱器は、スリーブ内に収容されることが好ましい。好ましくは、スリーブは、一端で加熱器を超えて縦方向に延びる。スリーブ延長部は、加熱器を本体内に縦方向に位置付けるために内側壁と協働するようになっていることが好ましい。好ましくは、スリーブ延長部は、加熱器を本体内に半径方向に位置付けるために内側壁と協働するようになっている。これは、内側壁及びダクトに対して加熱器の位置を位置付ける。
【００２２】
内側壁は、出っ張りを含み、出っ張りは、スリーブ延長部を支持することが好ましい。好ましくは、内側壁及びスリーブ延長部の一方は凹部を含み、内側壁及びスリーブ延長部の他方は、凹部と協働するようになった突起を含む。好ましくは、３つの凹部及び突起が設けられる。３つの凹部及び突起は、不均一に角度的に離間することが好ましい。これに代えて又はこれに加えて、凹部及び突起は、異なる構成のものである。
【００２３】
すなわち、加熱器は、内側壁に１つの向きだけで接続することができることが好ましく、この特徴を本発明の他の好ましい特徴と組み合わせて用いれば、結果として電気器具の本体内に収容される異なる構成要素を組み立てる方法が１つだけである。加熱器は、例えば電源に接続する必要があるので、これは、これらの接続部が常に本体の同じ場所で半径方向に位置付けられることになり、組立てをより迅速に、より効率的に、かつ費用効果的にすることを意味する。
【００２４】
好ましくは、流体出口は、本体の下流端にある。内側壁は、下流端及び上流端を有し、下流端は、少なくとも部分的に流体出口を形成することが好ましい。
【００２５】
好ましくは、内側壁の上流端は、外側壁に向けて延びる。好ましくは、内側壁は、外側壁まで延びる密封部分を含む。密封部分は、内側壁の上流端と下流端の間にあることが好ましい。
【００２６】
好ましくは、内側壁の上流端は、加熱器に接続するためのコネクタを含む。コネクタは、内側壁の周りに半径方向に延びることが好ましい。好ましくは、コネクタは、内側壁から半径方向外向きに延びる止め具を含む。止め具は、外側壁に向けて半径方向外向きに延びることが好ましい。
【００２７】
好ましくは、加熱器は、加熱器の周りに半径方向に延びるハウジングを含む。ハウジングは、加熱器の下流端で加熱器から縦方向に離れて延びることが好ましい。好ましくは、加熱器ハウジングの延長部は、コネクタ及び止め具と係合し、電気器具の内側壁、ダクト、及び外側壁に対して加熱器を位置付けるようになっている。
【００２８】
内側壁は、加熱器からの流れを流体出口に向けて誘導するための流れ誘導部分を含むことが好ましい。
【００２９】
好ましくは、内部通路の直径は、内側壁に沿って内側壁の上流端から内側壁の下流端にある流体出口に向けて減少する。
【００３０】
流れ誘導部分は、内側壁の滑らかな湾曲面であることが好ましい。
【００３１】
第２の態様により、本発明は、外側壁を有する本体と、外側壁内で少なくとも部分的に本体に沿って延びるダクトと、主流体流れを受け入れるためにダクトの周りに延びる内部通路と、本体から主流体流れを放出するための主流体出口とを含むヘヤケア電気器具であり、主流体出口は、ダクトと本体の内側壁とによって形成される。
【００３２】
好ましくは、主流体出口は、本体の前端にあり、本体の前端は、本体から半径方向内向きに延びる端壁を含み、端壁は、少なくとも１つの磁石を含む。端壁は、複数の磁石又は磁性材料のリングに当接することが好ましい。複数の磁石又は磁性材料のリングは、好ましくは、端壁の周りに延びる。好ましくは、端壁は、外面及び内面を含み、外面は、電気器具の外部面であり、複数の磁石は、内面に隣接している。複数の磁石は、好ましくは、本体の内側壁に受け入れられる。本明細書で上述したように、好ましくは、内側壁は、空気出口の一部を形成する。好ましくは、内側壁は、ダクトと一緒に内部通路の一部を形成する流れ誘導面である内向き面を含む。これに加えて、内側壁は、好ましくは、複数の磁石を受け入れるために外向き面の周りに配置された複数の受け入れユニットを含む。
【００３３】
ここで、本発明を添付図面を参照して一例として以下に説明する。
【図面の簡単な説明】
【００３４】
【図１】本発明による電気器具の斜視図である。
【図２】図１の電気器具を通る断面図である。
【図３】図１及び図２の電気器具の分解側面図である。
【図４ａ】本発明による電気器具の本体を通る断面図である。
【図４ｂ】図４ａの本体の一部を通る等角断面図である。
【図５】本発明による空気出口を示す図である。
【図６】図５の空気出口を通る断面図である。
【図７】図６の領域Ｂをより詳しく示す図である。
【図８】図５の空気出口の後面斜視図である。
【図９】図５の空気出口の前面斜視図である。
【図１０】図９の領域Ｃをより詳しく示す図である。
【図１１】ダクトの前面斜視図である。
【図１２】加熱器の前面斜視図である。
【図１３】図４の頭部を通る分解等角投影図である。
【図１４ａ】更に別の電気器具の本体の構成要素の分解側面図である。
【図１４ｂ】図１４ａのガスケットの一部をより詳しく示す図である。
【図１５】図１４の電気器具の本体を通る断面図である。
【図１６】ヘヤードライヤのための付属品の例を示す図である。
【図１７】図１６に示す付属品の後面斜視分解組立図である。
【図１８】図１６に示す付属品の前面斜視分解組立図である。
【図１９】図１６の付属品を有するヘヤードライヤの等角投影図である。
【発明を実施するための形態】
【００３５】
図１及び図２は、本発明で適切に使用することができるヘヤードライヤ１０の例を示している。ヘヤードライヤ１０は、ハンドル２０及び本体３０を有する。ハンドルは、本体３０に接続された第１の端部２２と、本体３０から離れた第２の端部２４とを有し、主入口４０を含む。ヘヤードライヤ１０には、ケーブル５０を通して電力が供給される。
【００３６】
本体３０は、第１の端部３２及び第２の端部３４を有し、かつ２つの部分を有すると考えられる。第１の端部３２から延びる第１の部分３６は、ほぼ管状であり、第２の端部３４から延びる第２の部分３８は、第１の部分３６に接合している。第２の部分３８は、円錐形であり、本体３０の第１の部分３６の直径から本体の第２の端部３４のより小さい直径へと、直径がその長さに沿って変化している。この例では、第２の部分３８は、一定の勾配を有し、本体３０の第１の部分３６の外側壁３６０に対する角度αは、約４０°である。
【００３７】
特に図２を参照して、ハンドル２０は、本体３０からハンドルの遠位端２４まで延びる外側壁２００を有する。ハンドルの遠位端２４で、外側壁２００を横切って端壁２１０が延びる。この端壁２１０を貫通してケーブル５０がハンドドライヤー内に入っている。ハンドル２０の主入口４０は、ハンドルの外側壁２００の周りにかつそれに沿って延びる第１の開口４２と、ハンドル２０の端壁２１０を横切ってかつそれを通って延びる第２の開口４６とを有する。ケーブル５０は、端壁２１０のほぼ中央に位置付けられ、ハンドル２０の中心から延びる。端壁２１０は、ハンドルの外側壁２００及び内側壁２２０と直交している。
【００３８】
ケーブル５０は、ハンドル２０の中心から延びることが好ましく、こうすれば、ユーザが手に有するハンドル２０の向きに関係なくヘヤードライヤが平衡を保つ。同じく、ユーザがハンドル２０上で彼ら／彼女らの手の位置を変えても、移動した手の位置に対するケーブルの位置は変わらないので、ケーブル５０からの引っ張りはないことになる。仮にケーブルがオフセットしてハンドルの一方の側面により近くなれば、ヘヤードライヤの重量分布が向きに応じて変化し、ユーザの気がそらされる。
【００３９】
主入口４０の上流にはファンユニット７０が設けられる。ファンユニット７０はファン及びモーターを含む。ファンユニット７０は主入口４０を通して流体を引き込み、流体は、主入口４０から本体３０まで延びる流体流路４００を通って本体３０に向かい、ハンドル２０と本体３０との接合部９０で本体３０に入る。流体流路４００は、本体の第２の端部３４に向かい加熱器８０を取り囲み主流体出口４４０へ至るように本体３０を通って続き、ファンユニットが引き込んだ流体は、主流体出口で主流体流路４００から出る。主流体流路４００は、非直線状であり、ハンドル２０を第１の方向に通り、本体３０を第１の方向と直交する第２の方向に通って延びる。
【００４０】
本体３０は、外側壁３６０及び内側ダクト３１０を含む。主流体流路４００は、ハンドル２０と本体３０との接合部９０から外側壁３６０とダクト３１０との間を本体３０の第２の端部にある主流体出口４４０へ向けて本体に沿って延びる。
【００４１】
本体には別の流体流路が設けられ、この流れは、ファンユニット又は加熱器によって直接処理されず、ファンユニットの作用によってヘヤードライヤ内へ引き込まれ、ヘヤードライヤを通る主流れを生成する。この流体流れは、主流体流路４００を通って流れる流体によってヘヤードライヤ内へ同伴される。
【００４２】
本体の第１の端部３２は流体入口３２０を含み、本体の第２の端部３４は流体出口３４０を含む。流体入口３２０及び流体出口３４０は両方とも、本体３０の内側壁であって本体内でかつ本体に沿って延びる内側ダクト３１０によって少なくとも部分的に形成される。流体流路３００は、ダクト内で流体入口３２０から流体出口３４０まで延びる。本体３０の第１の端部３２で、外側壁３６０と内側ダクト３１０の間に側壁３５０が延びる。この側壁３５０は、流体入口３２０を少なくとも部分的に形成する。本体の第２の端部３４では、外側壁３６０とダクトの間に間隙が設けられ、この間隙は主流体出口４４０を形成している。主流体出口４４０は、環状であって流体流路３００を取り囲んでいる。主流体出口４４０は内部にあることができ、そうすれば主流体流路４００は、本体３０内で流体流路３００と合流する。これに代えて、主流体出口４４０は、外部にあって流体出口３４０で流体流路３００から出る流体とは別々に本体３０から出る。
【００４３】
本体の外側壁３６０は、ダクト３１０及び本体３０の中心線Ａ−Ａに向けて収束する。ダクト３１０に向けて収束する外側壁３６０を有することにより、主流体出口４４０から出る主流れが本体３０の中心線Ａ−Ａに向けて誘導される利点がある。流体が主流体出口４４０から出ると、この流体の運動に起因して、ヘヤードライヤの外側から一部の流体の外部同伴４９０が生じる。この効果は、ダクト３１０に向けて収束する外側壁３６０によって強められる。効果が強まるのは、部分的には、主流れが発散ではなく集束するからであり、かつ部分的には、本体３０の外側壁３６０がヘヤードライヤの第２の端部３４に向けて傾斜しているからである。
【００４４】
ダクト３１０は、ヘヤードライヤの外側からアクセス可能なヘヤードライヤの内部壁である。従って、ダクト３１０は、ヘヤードライヤの外部壁である。ダクト３１０は、本体３０内の凹部に置かれるので、外側壁３６０とダクト３１０との間を接続する側壁３５０は、外側壁３６０に対して角度を成している。角度βは、本体３０の外側壁３６０で決まる線から約１１５°である（図２）。
【００４５】
本体３０内で側壁３５０及び流体入口３２０の近くに、ヘヤードライヤのための制御電子機器を含むＰＣＢ７５が位置付けられる。ＰＣＢ７５は、リング形状を有してダクト３１０と外側壁３６０との間でダクト３１０の周りに延びる。ＰＣＢ７５は主流体流路４００と流体連通している。ＰＣＢ７５は、流体流路３００の周りに延びかつダクト３１０によって流体流路３００から隔離される。
【００４６】
ＰＣＢ７５は、加熱器８０の温度及びファンユニット７０の回転速度のようなパラメータを制御する。内部配線（図示しない）が、ＰＣＢ７５を加熱器８０及びファンユニット７０及びケーブル５０へ電気的に接続している。制御ボタン６２、６４が設けられてＰＣＢ７５に接続され、ユーザが、例えば、温度設定値及び流量の範囲を選択することができるようになっている。
【００４７】
使用時に、流体は、ファンユニット７０の作用によって主流体流路４００内へ引き込まれ、任意的に加熱器８０によって加熱され、主流体出口４４０から出る。この処理された流れは、流体入口３２０で流体を流体流路３００内へ同伴される。流体は、処理された流れと本体の第２の端部３４で合流する。図示の例では、処理された流れが主流体出口４４０及びヘヤードライヤから出るのは、同伴された流れを取り囲む環状流れが流体出口３４０を通ってヘヤードライヤから出る時である。従って、ファンユニット及び加熱器によって処理された流体は、同伴された流れによって増強される。
【００４８】
図３は、本発明による空気出口１１０を使用したヘヤードライヤ１００の分解側面図である。図４ａ及び図４ｂは、加熱器８０と共に空気出口１１０を原位置に示すヘヤードライヤ１００を通る断面図を示し、図５から図９は、空気出口１１０を通る様々な図及び断面を示している。各図間で共通する特徴には同じ参照番号が使用されている。
【００４９】
空気出口１１０は、電気器具内の様々な特徴部に確かなロッキングを提供するように設計される。更に、確かなロッキングは一方向だけで達成することができることが好ましく、加熱器８０からＰＣＢ７５への電気的接続のような製造された製品毎に異なる特徴間の接続が同じ場所にありかつ再現可能であることが保証される。
【００５０】
特に図４ａから図１２を参照して、空気出口１１０は、支持リブ１３０によって互いに接続された第１のダクト３１０ａ及び内側壁１２０を有する。内側壁１２０は、主流体流路４００内を流れる流体を主流体出口４４０に向けて誘導する。内側壁１２０に含まれる流れ誘導部分１３２は、本体３０の直径が本体３０の第２の端部３４に向けて減少するので、加熱器８０を出る流体を主流体出口４４０に向けて誘導し又は向ける。第１のダクト３１０ａは、第２のダクト３１０ｂに接続するようになって全体のダクト３１０を形成し、全体のダクト３１０は、側壁３５０から流体出口３４０及び流体出口４４０が位置付けられた本体３０の下流端３４まで延びる。接続部３２２は、第１のダクト３１０ａと第２のダクト３１０ｂの間に重ね継ぎ（図４）を形成する２つの協働する構成要素から形成される。
【００５１】
特に図４ａ、図４ｂ、図８及び図１１を参照して、空気出口１１０は、接続部３２２の第１部３２２ａを有し、第１部３２２ａは、３つの離間した凹部３２４、３２６、３２８を有する重ね継ぎの外側リップを有する。第２のダクト３１０ｂは接続部３２２の第２部３２２ｂを有し、第２部３２２ｂは３つの離間した突起３３２、３３４、３３６を有する内側リップ３３０を有する。第１の対の凹部及び突起３２４、３３６は、それぞれ他の２対の凹部及び突起３２６、３３４及び３３６、３３２よりも小さいので、第１のダクト３１０ａは第２のダクト３１０ｂへ１つの向きに挿入できるだけである。
【００５２】
特に４ａ、図４ｂ、図８、及び図１２を参照して、空気出口１１０は加熱器８０への第２の接続部１４０を有する。第２の接続部１４０は、内側壁１２０と加熱器８０の間に重ね継ぎを形成する２つの協働する部分から形成される。内側壁１２０は、第２の接続部１４０の第１部１４０ａを有し、第１部１４０ａが有する重ね継ぎの内側リップ１２２は、これから半径方向外向きに突出する３つの離間したヒップ１２４、１２６、１２８を有する。加熱器８０は、接続部１４０の第２部１４０ｂを有する。加熱要素８２は、マイカのような絶縁材料のリングである外側スリーブ８４によって取り囲まれる。この外側スリーブ８４は、加熱要素８２（例えば、螺旋状に巻いた巻線）の長さに沿って延び、かつ本体３０の流体出口３４０、４４０に向けて加熱要素８２の下流まで延びる。加熱要素８２の下流の延長部の一部が第２の接続部１４０の第２部１４０ｂを形成する。接続部１４０の第２部１４０ｂは、スリーブ８４に３つの孔８８、９０、９２又は凹部を形成する。
【００５３】
図示の実施形態において、接続部１４０が押し及び捩り運動で適切に得られるように、３つの孔８８、９２、９４は「Ｌ」形状である。これは好ましい特徴であり、そうすれば、単にピップ１２４、１２６、１２８を各孔８８、９２、９４へ押し込むよりも接続が確実になる。
【００５４】
各ピップ１２４、１２６、１２８及び各孔８８、９２、９４の直径は同じであるが、それらは、重ね継ぎの周りに均等に角度的に離間していない。従って、加熱器８０は、第２の接続部１４０によって空気出口１１０へ１つの向きで接続できるだけである。これは、加熱器８０、空気出口１１０、ダクト３１０、及び側壁３５０は、全て、１つの予め決められた向きで互いに接続可能であることを意味する。これは非常に有用である。図２に示すヘヤードライヤにおいて、側壁３５０はＰＣＢから延びる制御ボタン６４を含み、加熱器は、ＰＣＢに接続する配線（図示しない）を有する。説明した構成において、加熱器８０はＰＣＢに対して常に同じ向きにあり、それによってＰＣＢへの加熱器の組み立て及び電気的接続がより単純になる。
【００５５】
また、空気出口１１０が、第１又は第２の接続部の一方の内側リップと他方の接続部の外側リップとを含むことは、加熱器８０、空気出口１１０、及びダクト３１０を半径方向で互いに拘束するので有利であるが、必須ではない。重ね継ぎ３２２は反転することができ、すなわち、内側リップ及び外側リップは、突起及び凹部の場所ができるように、各それぞれの重ね継ぎ３２２、１４０の反対側の部分上に形成することができる。実際、第１及び第２の接続部の各々は、不均等な角度的間隔及び／又は異なる構成の突起及び凹部を使用することができる。各対の突起及び凹部の形状又はプロフィール及び大きさが構成に含まれる。
【００５６】
特に４ａ、図４ｂ、図８、及び図１３を参照すると、空気出口１１０の下流端１１０ａに向けて、空気出口１１０の内側壁１２０と本体３０の外側壁３６０の間に密封ガスケット１１６が設けられる。ガスケット１１６は、いくつかの機能を有し、すなわち、主流体流路４００に沿って内側壁１２０と外側壁３６０との間を本体３０の第２の端部３４へ流れる流体に対して密封すること、及び主流体出口４４０を迂回することを含む。ガスケット１１６の第２の機能は、外側壁３６０に対する内側壁１２０の位置を保持することであり、及び従って外側壁３６０に対して空気出口１１０を所定位置に保持することである。
【００５７】
特に図５から図７を参照して、内側壁１２０は２つの部分を有し、第１の部分１３６は、第２の接続部１４０の第１部１４０ａを含み、外側壁３６０、第１のダクト３１０ａ、及び加熱器８０の１つ又はそれよりも多くに対してほぼ平行である。第２の部分１３８は、流れ誘導部分１３２を含む。第２の部分１３８は湾曲したプロフィールを有し、主流体流路４００を通る流れ方向で、第２の部分は、ダクト及び流体出口３２０の中心線Ａ−Ａに向けて湾曲している。流れ誘導部分１３２は湾曲し、主流体流路４００を通って流れる流体と接触する滑らかな面を有する。
【００５８】
ヘヤードライヤの本体３６の各内側構成要素の相対的場所を半径方向で拘束することは、本体３６内の各構成要素を同心にすることができるので有用である。特に図１３及び図１４を参照すると、本体３６は、第１の端部３２から第２の端部３４へ長さ方向に延び、本体内に収容されたいくつかの異なる構成要素の各々は、本体の長さに沿って延びる。第１に、本体内にあるダクト３１０は、その長さの少なくとも一部が加熱器８０によって取り囲まれ、加熱器８０は、本体３６の外側壁３６０によって取り囲まれている。加熱器８０は、ダクト３１０及び外側壁３６０のいずれにも接触しないことが重要であり、その理由は、接触すると加熱器８０からの熱を電気器具の外部面へ直接伝達可能な高温箇所が発生し、また接触は加熱器８０の寿命を縮める可能性があるからである。本体３６内の各構成要素間の間隔は非常に小さいので、同心性を損なうと、加熱器が内側ダクト３１０又は外側本体３６０に接触する可能性がある。
【００５９】
本体３６に沿って延びる主流体流路４００は、環状であり本体３６の長さに沿ってほぼ均一の内径及び外径を有する必要があり、そうでなければ主流体流路４００の周りの流れが不均一になり、不均一な流れは、加熱器８０の周りで加熱器８０の温度が半径方向において変動することをもたらす。外側壁３６０及びダクト３１０は、本体の長さに沿ってほぼ平行である。加熱器８０が位置する空間を形成する内側ダクト３１０及び外側壁３６０の一方に加熱器８０が接触すれば、加熱器８０の長さに沿って温度が変動する可能性がある。これらの温度変動は、両方とも、電気器具の効率を損ない、一部の構成要素を損傷させる可能性がある。
【００６０】
本体３６への内側ダクト３１０の接続は、本体３６の第１の端部３２で側壁によって行われ、内側ダクト３１０を本体３６の第２の端部３４の近くで空気出口１１０及び加熱器８０に固定することにより、主流体流路４００の断面プロフィールと共に、これらの構成要素の間隔及び同心性が確保される。
【００６１】
図４ａ及び図４ｂを参照すると、加熱器８０と外側壁３６０の間に第１の間隙１１２が設けられ、加熱器８０と内側ダクト３１０の間に第２の間隙１１４が設けられる。第１の間隙１１２及び第２の間隙１１４は、加熱器８０とそれぞれの外部からアクセス可能な面との間に冷たい壁をもたらす。主流体流路４００を通って流れる流体の一部は、これらの間隙１１２、１１４に沿って流れ、この流れは、加熱器８０の長さに沿う流体絶縁体を与えて外側壁３６０及び内側ダクト３１０の温度を低下させる。第２の間隙１１４を通って流れる流体は、空気出口１１０で主な主流体流路（それは加熱器８０を直接流通する）と再び一緒になる。第１の間隙１１２は、加熱器８０を超えて本体３０の第２の端部３４、及び空気出口１１０の内側壁１２０と本体３６の外側壁３６０との間を密封する密封ガスケット１１６に向けて延びて、内側壁と外側壁３６０の間に流体絶縁体をもたらす。
【００６２】
本体３０の前部又は第２の端部３２には、複数の磁石１５０が主流体出口４４０の周りに半径方向に離間して配置される。これらの磁石１５０は、集中器又は拡散器のような付属品（図示しない）への磁力結合の一部を含み、付属品は対応する磁石又は磁性材料を含み、磁石又は磁性材料は、この付属品をヘヤードライヤ１０の本体３０へ接続するために磁石１５０へ引き付けられる。本体３０の外側壁３６０は、外側壁３６０から本体３０の中心線Ａ−Ａに向けて半径方向内向きに延びる端壁３６２を有する。この例では、各磁石１５０は、空気出口１１０に収容されて本体３０の端壁３６２に当接又は近接する。各磁石１５０は、空気出口１１０の前面の周りに半径方向に離間して位置付けられた受け入れユニット１５２内に押し込まれるか又は締まり嵌めされた円筒体である。従って、内側壁１２０は、流れ誘導面１３２である第１の内向き面と、磁石１５０のための受け入れユニット１５２を含む第２の外向き面１３４とを有する。
【００６３】
各受け入れユニット１５２は１対のアーム１５４、１５６を含み、両アーム間に、磁石１５０が空気出口の前面１１８と同一平面になるまで、磁石１５０が押し込まれる。同一平面があることにより、空気出口１１０は本体３０の端壁３６２に当接することができ、磁石１５０のアレイが生じる磁力が最大になる。更に、空気出口１１０と同一平面の前面１１８を有すれば、本体３０の外側壁３６０に対する空気出口１１０の位置決めが助けられる。
【００６４】
ガスケット１１６は、空気出口１１０の内側壁１２０に沿ってどこかに位置付けられる。ガスケット１１６が重ね継ぎ１４０又は磁石１５０の機能と干渉しない限り、その正確な位置決めは重要ではない。
【００６５】
図１４及び図１５に代わりのガスケット３１６が示されている。この実施形態において、磁石１５０は、上述と同様に流体出口４４０の周りに半径方向に離間しているが、空気出口４１０内ではなくガスケット３１６に収容される。ガスケット３１６は、複数の受け入れユニット３５２を含み、各受け入れユニット３５２は、円筒形磁石１５０の１つを受け入れるように設計される。各受け入れユニット３５２は１対のアーム３５４、３５６を含み、磁石１５０は、ガスケット３１６の前面３１８と同一平面になるまで両アーム間に押し込まれる。同一平面を有することは、磁石１５０が、本体３０の外側壁３６０の端壁３６２に当接することができ、本体と付属品の間の磁力が最大になることを意味する。
【００６６】
ガスケット１１６、３１６は、両方ともそれぞれ密封面１１６ａ、３１６ａを有し、ガスケット１１６、３１６が空気出口１１０、４１０及び本体３０の外側壁３６０に対して位置決めされた時に、密封面は、外側壁３６０に対して密封して、主流体流路４００からの流体が電気器具から主流体出口４４０以外のどこかへ出ることを防止する。
【００６７】
図１６から図１９は、磁石１５０によってヘヤードライヤ１０を取外可能に取り付けることができる付属品の様々な図である。この例では、付属品は、使用されていないヘヤードライヤ１０のためのドッキングポート４５０である。ドッキングポート４５０は、例えば、壁、化粧ユニット、又は洋服だんすのような面４６０へ取り付けることが便利である。
【００６８】
ドッキングユニット４５０は、３つの部分、すなわち、面３６０へ取り付けるための基部４５２、磁性材料又は磁化材料のリング４５４、及びヘヤードライヤ１０のダクト３１０と係合するための円錐４５６を含む。基部４５２は、リング４５４が所定位置にある時に円錐４５６が螺合されるネジ山４５８を含む。磁性材料又は磁化材料のリング４５４は、エポキシのような樹脂又は当業者に明らかな他の材料内へ成形された鉄、鋼、又は磁性材料の薄片から作られる。
【００６９】
内側ダクト３１０はほぼ管状であり、第１のダクト３１０ａを形成する壁３１２には、下流端又は流体出口３４０に向けて半径方向外向きにテーパがつくことが好ましい（図４）。従って、壁３１２は、出口３４０に向けて薄くなり、流体流路３００の直径が出口３４０で僅かに大きくなっている。従って、流体流路３００を通って流れる液体は、外側壁３６０及び主流体出口４４０に向けて角度を成している。
【００７０】
ガスケット１１６、３１６は、内側壁１１０、４１０をそれぞれ外側壁３６０に対して密封する。シールは完全なシールである必要はなく、何らかの状況では、ガスケット１１６、３１６の下流で外側壁３６０に冷却流れをもたらすために、ガスケット１１６、３１６を通る何らかの制御された漏れがあることが望ましいからである。これを達成するために、ガスケット１１６、３１６は、半径方向に離間したいくつかの抽気口又は凹部を含むことができると考えられる。
【００７１】
本発明は、ヘヤードライヤに関して詳しく説明したが、それは、流体を引き込み、電気器具からその流体の流出流れを誘導するあらゆる電気器具に適用可能である。
【００７２】
電気器具は、加熱器と共に又は加熱器なしで使用することができ、高速での流体の流出流れの作用は、乾燥効果を有する。
【００７３】
電気器具を通って流れる流体は、一般的に空気であるが、１つ又は複数の気体の異なる組合せとすることができ、かつ電気器具の性能又は例えば毛髪及びその毛髪の整髪に出力が向けられる物体に対して電気器具が有する影響を改善する添加物を含むことができる。
【００７４】
本発明は、上述の詳しい説明に限定されない。変形は、当業者に明らかであろう。
【符号の説明】
【００７５】
１２０  内側壁
１３０  支持リブ
３００  流体流路
３４０  流体出口
４４０  主流体出口
【図１】
2015066446.tif 000003
【図２】
2015066446.tif 000004
【図３】
2015066446.tif 000005
【図４ａ】
2015066446.tif 000006
【図４ｂ】
2015066446.tif 000007
【図５】
2015066446.tif 000008
【図６】
2015066446.tif 000009
【図７】
2015066446.tif 000010
【図８】
2015066446.tif 000011
【図９】
2015066446.tif 000012
【図１０】
2015066446.tif 000013
【図１１】
2015066446.tif 000014
【図１２】
2015066446.tif 000015
【図１３】
2015066446.tif 000016
【図１４ａ】
2015066446.tif 000017
【図１４ｂ】
2015066446.tif 000018
【図１５】
2015066446.tif 000019
【図１６】
2015066446.tif 000020
【図１７】
2015066446.tif 000021
【図１８】
2015066446.tif 000022
【図１９】
2015066446.tif 000023